(57)【要約】【課題】  ロール巻きスクリーン生地を収納するケースを、固定ケースと可動ケースの組み合わせによって形成し、ロール巻きスクリーン生地の組み込みの作業性を向上させることができるだけでなく、ケースの内部に収納された電気部品の取替えやメンテナンスがケースを取り付け部分から取り外すことなく行えるスクリーン装置のケースを提供する。【解決手段】  内部に収納したスクリーン生地１３の引き出しと引き込みが、下部に設けた出し入れ口部１５から行えるようにしたスクリーン装置１１のケース１４において、前記ケース１４が、断面略半割り筒状となる固定ケース１６と、この固定ケース１６の開放面を開閉する可動ケース１７で形成され、前記閉位置にある可動ケース１７の下端部と固定ケース１６の下部の間に、スクリーン生地１３の出し入れ口部１５を形成するようになっている。【選択図】図１
0003106212.tif 000002
【実用新案登録請求の範囲】
【請求項１】
シャフトに巻回したロール巻きスクリーン生地を内部に収納し、下部に設けた出し入れ口部からスクリーン生地の引き出しと引き込みが行えるようにしたスクリーン装置のケースにおいて、前記ケースが、断面略半割り筒状となる固定ケースと、同じく断面略半割り筒状となり、その上端部がこの固定ケースの上部先端に枢止可動部で取り付けられ、前記固定ケースの開放面を閉鎖する閉位置と、前記固定ケースの下端部の間にロール巻きスクリーン生地の出し入れ間隔を形成する外方への開位置の間を、前記枢止可動部を支点にして回動可能となる可動ケースで形成され、前記閉位置にある可動ケースの下端部と固定ケースの下部の間に、スクリーン生地の出し入れ口部を形成するようになっていることを特徴とするスクリーン装置のケース。
【請求項２】
上記固定ケースの断面形状が伏倒Ｌ字形となり、可動ケースの断面形状が固定ケースに対して外方に膨出する略半円形に形成され、上記枢止可動部が、固定ケースの上部先端と可動ケースの上端部の何れか一方に設けた円軸部と、この円軸部を回動可能に外嵌保持するよう他方に設けた欠円筒状の保持筒とで形成されていることを特徴とする請求項１に記載のスクリーン装置のケース。
【請求項３】
上記スクリーン生地の下端部に、このスクリーン生地の巻き込み状態で、スクリーン生地の出し入れ口部を閉鎖する蓋部材が取り付けられていることを特徴とする請求項１又は２に記載のスクリーン装置のケース。
【請求項４】
上記ケース内に収納したロール巻きスクリーン生地の引き出しと引き込みが、電動によって行われるようになっている請求項１乃至３の何れかに記載のスクリーン装置のケース。
【考案の詳細な説明】
【技術分野】
【０００１】
この考案は、ケース内にロール巻きスクリーン生地を収納し、ケースから引き出したスクリーン生地に各種映像を投影するスクリーン装置において、前記ロール巻きスクリーン生地を収納するケースの構造に関する。
【背景技術】
【０００２】
映像投影用として用いられているスクリーン装置は、ケース内にロール巻きスクリーン生地を収納し、ケースの下部に設けた出し入れ口部からスクリーン生地の引き出しと引き込みが行える構造を有し、ケースから引き出したスクリーン生地に各種映像を投影するようになっている。
【０００３】
なお、ケース内に対するスクリーン生地の巻き取り機構は、電動モータによるものとスプリング式によるものがあり、これらの機構は何れも、ケースの内部に組込み収納されている。
【０００４】
上記スクリーン装置における従来のケースは、シャフトにスクリーン生地を巻回したロール巻きスクリーン生地を収納することができる内径の断面円筒状に形成され、下部にスクリーン生地の引き出しと引き込みを行う出し入れ口部を設けた構造を有し、このケースは外部に設けた取り付け金具を用いて壁面等に固定される（例えば特許文献１参照）。
【特許文献１】実用新案登録第３０４６７７０号
【考案の開示】
【考案が解決しようとする課題】
【０００５】
ところで、上記した従来のケースは、ロール巻きスクリーン生地を収納することができる内径の断面円筒状に形成されているので、ロール巻きスクリーン生地をケース内に組み込む場合、図５のように、ケース１の一端側サイドよりロール巻きスクリーン生地２を挿入して組み込む必要があり、この場合、ケース１に対してスクリーン生地２が接触して損傷が生じないようにスライドさせながら注意して組み込む必要があり、組み込みの作業性が非常に悪いという問題がある。
【０００６】
また、例えば、電動式のスクリーン装置において、基盤やヒューズといった電気部品がケース１の内部に収納されており、スクリーン装置の取り付け設置後に、これらの取替えやメンテナンスを行う場合、ケース１を取り付け部分から取り外し、このケース１を分解しなければならないという不便がある。
【０００７】
そこで、この考案の課題は、ロール巻きスクリーン生地を収納するケースを、固定ケースと可動ケースの組み合わせによって形成し、ケースの開放面を開閉自在とすることにより、ロール巻きスクリーン生地の組み込が、ケースの下部から垂直方向の移動によって行え、組み込みの作業性を向上させることができるだけでなく、ケースの内部に収納された電気部品の取替えやメンテナンスがケースを取り付け部分から取り外すことなく行えるスクリーン装置のケースを提供することにある。
【課題を解決するための手段】
【０００８】
上記のような課題を解決するため、請求項１の考案は、シャフトに巻回したロール巻きスクリーン生地を内部に収納し、下部に設けた出し入れ口部からスクリーン生地の引き出しと引き込みが行えるようにしたスクリーン装置のケースにおいて、前記ケースが、断面略半割り筒状となる固定ケースと、同じく断面略半割り筒状となり、その上端部がこの固定ケースの上部先端に枢止可動部で取り付けられ、前記固定ケースの開放面を閉鎖する閉位置と、前記固定ケースの下端部の間にロール巻きスクリーン生地の出し入れ間隔を形成する外方への開位置の間を、前記枢止可動部を支点にして回動可能となる可動ケースで形成され、前記閉位置にある可動ケースの下端部と固定ケースの下部の間に、スクリーン生地の出し入れ口部を形成するようになっている構成を採用したものである。
【０００９】
請求項２の考案は、上記固定ケースの断面形状が伏倒Ｌ字形となり、可動ケースの断面形状が固定ケースに対して外方に膨出する略半円形に形成され、上記枢止可動部が、固定ケースの上部先端と可動ケースの上端部の何れか一方に設けた円軸部と、この円軸部を回動可能に外嵌保持するよう他方に設けた欠円筒状の保持筒とで形成されている構成を採用したものである。
【００１０】
請求項３の考案は、上記スクリーン生地の下端部に、このスクリーン生地の巻き込み状態で、スクリーン生地の出し入れ口部を閉鎖する蓋部材が取り付けられている構成を採用したものである。
【００１１】
請求項４の考案は、上記ケース内に収納したロール巻きスクリーン生地の引き出しと引き込みが、電動によって行われるようになっている構成を採用したものである。
【００１２】
ここで、固定ケースと可動ケースは、アルミや合成樹脂の型材を用いて形成され、枢止可動部となる円軸部と保持筒を嵌め合わせることによってケースに組み立てられ、このケースは固定ケースの両端に側板が取り付けられ、ケースの内部に組み込んだロール巻きスクリーン生地は、シャフトの両端が側板の軸受機構によって支持されることになる。
【考案の効果】
【００１３】
この考案によると、ロール巻きスクリーン生地を収納するケースを、固定ケースと可動ケースの組み合わせによって形成し、固定ケースの開放面に対して可動ケースを開閉自在としたので、ケースに対するロール巻きスクリーン生地の組み込が、ケースの下部から垂直方向の移動によって行え、スライドさせることなく組み込めるので、ロール巻きスクリーン生地の損傷を懸念することなくケース内への組み込が行え、組み込みが容易になることにより、組み込みの作業性を大幅に改善することができる。
【００１４】
また、ケースの内部に収納された電気部品の取替えやメンテナンスが可動ケースを開くことによって直接行え、ケースを取り付け部分から取り外す必要がなくなり、電気部品の取替えやメンテナンス作業が簡単に短時間で行えることになる。
【考案を実施するための最良の形態】
【００１５】
以下、この考案の実施の形態を添付図面に基づいて説明する。
【００１６】
図１乃至図４のように、スクリーン装置１１は、シャフト１２に巻回したロール巻きスクリーン生地１３をケース１４の内部に収納し、このケース１４の下部に設けた出し入れ口部１５からスクリーン生地１３の引き出しと引き込みが行えるようになっている。
【００１７】
上記ケース１４は、固定ケース１６と可動ケース１７の組み合わせによって形成され、この固定ケース１６と可動ケース１７は、固定ケース１６の開放面を可動ケース１７で開閉することができるよう枢止可動部１８で結合して組み立てられている。
【００１８】
上記固定ケース１６は、断面形状が略半割り筒状の伏倒Ｌ字形となり、可動ケース１７は、固定ケース１６に対して外方に膨出する略半円形に形成され、可動ケース１７は、その上端部がこの固定ケース１６の上部先端に枢止可動部１８で取り付けられ、前記固定ケース１６の開放面を閉鎖する閉位置と、前記固定ケース１６の下端部の間にロール巻きスクリーン生地１３の出し入れ間隔を形成する外方への開位置の間を、前記枢止可動部１８を支点にして回動可能となり、閉位置にある可動ケース１７は、その下端部と固定ケース１６の下部の間に、スクリーン生地１３の出し入れ口部１５を形成するようになっている。
【００１９】
上記枢止可動部１８は、可動ケース１７の上端部に設けた円軸部１９と、固定ケース１６の上部でこの円軸部１９を回動可能に外嵌保持するよう設けた欠円筒状の保持筒２０とで形成され、可動ケース１７は、枢止可動部１８を支点にして閉位置と開位置の間を回動することになる。
【００２０】
上記固定ケース１６と可動ケース１７は、アルミや合成樹脂の型材を用いて形成され、枢止可動部１８となる円軸部１９と保持筒２０を嵌め合わせることによってケース１４に組み立てられ、図示省略したが、このケース１４は固定ケース１６の両端に側板が取り付けられ、ケース１６の内部に組み込んだロール巻きスクリーン生地１３は、シャフト１２の両端が側板の軸受機構によって支持されるようになっている。
【００２１】
上記ケース１４内に収納したロール巻きスクリーン生地１３の下端部には、このスクリーン生地１３の巻き込み状態で、スクリーン生地１３の出し入れ口部１５を下面側から閉鎖するパイプ製の蓋部材２１が取り付けられており、この蓋部材が蓋として機能し、粉塵の進入を防ぐ。
【００２２】
なお、スクリーン装置１１において、上記ケース１４内に収納したロール巻きスクリーン生地１３の巻き取り機構は、電動モータによるものとスプリング式によるものがあり、これらの機構及び電動式の場合は基盤やヒューズといった電気部品も、ケース１４の内部に組込み収納されている。
【００２３】
この考案のスクリーン装置１１におけるケース１４は上記のような構成であり、スクリーン装置１１は、内部にロール巻きスクリーン生地１３を収納したケース１４を、固定ケース１６を介して壁面等に取り付け、スクリーン生地１３の巻き込み状態で、可動ケース１７を閉位置にしておけば、ケース１４の下部に位置する出し入れ口部１５は、蓋部材２１で下面側から閉鎖されることになる。
【００２４】
上記スクリーン装置１１を用いて映像を投影する場合は、蓋部材２１を手動で引き下げたり電動モータによる繰り出しによって、スクリーン生地１３を出し入れ口部１５から下方に引き出すようにすればよい。
【００２５】
ここで、スクリーン装置１１におけるケース１４内へのロール巻きスクリーン生地１３の組み込みを行う場合、図２と図３のように、固定ケース１６に対して可動ケース１７を開位置に回動させ、固定ケース１６の開放面の下部を大きく開き、これによって、図４に示す作業図のように、ケース１４に対するロール巻きスクリーン生地１３の組み込が、ケース１４の下部から垂直方向の移動によって行え、スクリーン生地１３をスライドさせることなく組み込めるので、ロール巻きスクリーン生地１３の損傷を懸念することなくケース１４内への組み込が行え、組み込みが容易になることにより、組み込みの作業性を大幅に改善することができる。
【００２６】
また、ケース１４の内部に収納された電気部品の取替えやメンテナンスは、上記と同様に可動ケース１７を開位置に開くことによって、ケース１４の下部の開放部分から直接行え、ケース１４を取り付け部分から取り外す必要がなくなり、電気部品の取替えやメンテナンス作業が簡単に短時間で行えることになる。
【図面の簡単な説明】
【００２７】
【図１】スクリーン装置のケースを閉じた状態を示す縦断側面図
【図２】スクリーン装置のケースを開いた状態を示す縦断側面図
【図３】スクリーン装置のケースに対するロール巻きスクリーン生地の組み込時の状態を示す縦断側面図
【図４】スクリーン装置のケースに対するロール巻きスクリーン生地の組み込時の状態を示す作用説明図
【図５】従来のスクリーン装置のケースに対するロール巻きスクリーン生地の組み込時の状態を示す作用説明図
【符号の説明】
【００２８】
１１      スクリーン装置
１２      シャフト
１３      ススクリーン生地
１４      ケース
１５      出し入れ口部
１６      固定ケース
１７      可動ケース
１８      枢止可動部
１９      円軸部
２０      保持筒
２１      蓋部材
【図１】
0003106212.tif 000003
【図２】
0003106212.tif 000004
【図３】
0003106212.tif 000005
【図４】
0003106212.tif 000006
【図５】
0003106212.tif 000007